(57)【要約】      （修正有）【課題】長期間輸送が容易となり、梱包に要する手間と時間を省略でき、さらに着地場所を選ばずに扉を開放できるヘリコプター吊持専用コンテナを提供する。【解決手段】直方体状に組まれたフレームによって構成される六面の中、底面部及び四つの側面部にはカバー体２が設けられており、且つ、該四つの側面部の中の少なくとも一つの側面は着脱自在な開放扉５となっており、また該開放扉の下端には本体底面部に設けられた小孔に嵌合する小突起が、上端にはロック機構が取設されており、且つ、天面は、少なくとも該開放扉位置についてはその上方への移動制御のため該直方体の稜線位置にはフレームを存在させない、ヘリコプター吊持専用コンテナ。【選択図】図１
0003108205.tif 000002
【実用新案登録請求の範囲】
【請求項１】
ヘリコプター吊持専用コンテナであって、直方体状に組まれたフレームによって構成される六面の中、底面部及び四つの側面部にはカバー体が設けられており、且つ、該四つの側面部の中の少なくとも一つの側面は着脱自在な開放扉となっており、また該開放扉の下端には本体底面部に設けられた小孔に嵌合する小突起が、上端にはロック機構が取設されており、且つ、天面は、少なくとも該開放扉位置についてはその上方への移動を妨げることがないよう該直方体の稜線位置にはフレームを存在させていないものであることを特徴とするヘリコプター用コンテナ。
【請求項２】
該カバー体は、エキスパンディッドメタル、パンチングメタル、又は金網製である請求項１記載のヘリコプター用コンテナ。
【請求項３】
本体下面にはキャスター付き台車が設けられているものである請求項１又は２記載のヘリコプター用コンテナ。
【請求項４】
本体底面には搭載物係止手段が設けられているものである請求項１、２又は３記載のヘリコプター用コンテナ。
【考案の詳細な説明】
【技術分野】
【０００１】
本考案は、林野火災時等に出動するヘリコプターが、消防用資器材などを吊持搬送する際に用いるコンテナの構造に関するものである。
【背景技術】
【０００２】
林野火災は、通常の家屋火災等と異なりその消火活動には障害が多い。まず傾斜地が多く立木が走行を阻むことが多いので消防自動車がほとんど機能せず、初期設置のため或いは延焼範囲の拡大に伴う転戦のための消防資機材の搬送が思うに任せない。
【０００３】
そこでヘリコプターを用いて消防資機材を搬送することが行われている。勿論ヘリポート或いはそれに代わる平坦な着陸施設がない場合が殆どであるので、資機材は「モッコ」に包んでヘリコプターのカーゴフックに吊り下げ、又は機内収容して、設置現場でホバーリングしながら下ろす、という方法を採ることが多い。
【０００４】
また林野火災の場合、送水のための水源がどこでも常時潤沢に確保されていることはなく、複数のポンプをホースで繋ぎながら広範囲の消火活動を可能とする、いわゆる長距離中継送水体制のホースラインを構築してゆきながら延焼に対応してゆくことを基本としている。そしてホースラインの設定に多くの時間と労力を費やしているのが現状である。林野火災において搬送される資機材は一般的には、小型ポンプ１台、ホース数本（例えば２０ｍ×３本をひとまとめにしたものを３セット）、ホース背負い器３個、管鎗１基、吸水管１本、その他各種媒介金具類などである。そして作業の殆どは、多数の消防隊員・消防団員の人力に委ねられているのが実情である。
【特許文献１】特開平７−２３７５９６号
【考案の開示】
【考案が解決しようとする課題】
【０００５】
ところがモッコを使用した場合には、梱包するのにもそれを解くのにも手間が掛かる、搭載されている資機材が搬送中に破損してしまう可能性がある、着地させたときにその衝撃が直接資機材に伝わる、等々の問題がある。このうち特に梱包とそれを解くのに手間が掛かるという点は、林野火災の如く緊急性が高く現場状況が急変しやすい場合が実に多い中では致命的であり、現実にはヘリコプター搬送に依らず人海戦術を採る方法が一般的に採られている。
【課題を解決するための手段】
【０００６】
そこで本考案者は、こうした点に鑑み鋭意研究の結果遂に本考案を成したものでありその特徴とするところは、ヘリコプター吊持専用コンテナであって、直方体状に組まれたフレームによって構成される六面の中、底面部及び四つの側面部にはカバー体が設けられており、且つ、該四つの側面部の中の少なくとも一つの側面は着脱自在な開放扉となっており、また該開放扉の下端には本体底面部に設けられた小孔に嵌合する小突起が、上端にはロック機構が取設されており、且つ、天面は、少なくとも該開放扉位置についてはその上方への移動を妨げることがないよう該直方体の稜線位置にはフレームを存在させていない点にある。
【考案の効果】
【０００７】
本考案に係るヘリコプター用コンテナは、以下述べる如き効果を有する極めて有用な考案である。
【０００８】
（１）  資機材は、コンテナを構成するフレームによって保護されているので、搬送中或いは着地時に破損する可能性が小さい。従って長時間輸送が容易となり離島への空輸といったことも可能となる。
（２）  全資機材を予めコンテナ内に格納して資機材保管所に保管しておくこともできるので、モッコの場合と異なり梱包に要する手間と時間が省略でき、集約時間の大幅な短縮が約束される。
（３）  搬送先で資機材を取り出すために開放扉を外すことになるが、この開放扉はロック機構を解除した後鉛直上方に少し持ち上げるだけで良いので、窪地や木立の中など着地場所を選ばずに扉を開放することができる。
【考案を実施するための最良の形態】
【０００９】
以下図面に基づき本考案を更に詳細に説明する。
【実施例１】
【００１０】
図１は、本考案に係るヘリコプター用コンテナ１（以下「本考案コンテナ１」という）の一例を示すものである。図より明らかなように本例の本考案コンテナ１は、フレームを骨格とする全体形状としては概ね直方体のものであって、底面部分の全てと四側面部分のそれぞれ下方側一部がカバー体２によって覆われている。即ち、四側面部分上方側一部と天面とは開放されている。鉛直方向に配置された四本の柱フレーム３の上端には、ヘリコプターのカーゴフック（図示せず）に掛けられるスリングベルト３１の一端が固定されている。更にヘリコプターによる吊持の際の強度を得るための筋交いフレーム３２も配されている。
【００１１】
カバー体２は、本例の場合にはパンチングメタルを使用している。多数の小孔があるので、軽量化が容易である、コンテナ内に収納されている物品が何であるのか見て判る、飛行中のヘリコプターカーゴフックに吊持されている状態では風抵抗を小さくする働きがある、等々の利点があるが、金網、エキスパンディッドメタルなどであっても同様或いはそれ以上の効果がある（図示省略）。
【００１２】
四つの側面の中の二つは、開放扉５である。開放扉５は、図２に示すようにフレームの下端から鉛直下方向に突出する二本の突起５１を有しており、これらは本体側に設けられた小孔５２に嵌り込むものである。つまり、一旦嵌り込んでしまうと開放扉５を上方にスライドさせない限り外れることはない構造となっている。
【００１３】
また、開放扉５の上部両端にはそれぞれ一つずつ本体側フレームに係止される係止金具５３が取設されている。迅速に開放できるような操作性を有し、また多少の衝撃に対しても機能を損なわないだけの強度を有していることが望まれるが、係止金具５３の構造の詳細については限定はしない。
【００１４】
図３は、本考案コンテナ１を、林野火災において中距離又は長距離中継送水体系を構築する際の資機材空輸用に使用した例を示すものであり、本考案コンテナ１内には、小型ポンプ６、ホース７、ホース背負い器８、管鎗９、吸水管１０，媒介金具１１等が重量バランスが充分考慮された配置となるよう格納されている。この中で、小型ポンプ６についてはコンテナ本体の底板にボルト留めされている。また吸水管１０は、図では本考案コンテナ１からはみ出しているように見えるが、実際には４本の柱フレーム３に内接するように固定した上でバンドにて係止されており、自身の弾性による復元力も手伝って安全確実な固定がなされる。
【００１５】
このように小型ポンプ６をコンテナ本体に固定したものは、林野火災における中継送水体系構築のための専用品ということになるが、予めスリングベルトなどを取り付けておき必要な資機材をセットした状態で消防署や消防団の資機材保管所に保管しておくことで、火災発生時には極めて迅速に対応できることになる。図４の如く、四隅にキャスター１２を取設した台車１３に本考案コンテナ１を載せておき、該資機材保管所からヘリポートまで移動させるようにしておくとより好適なものとなる。なおこの場合、台車１３は重量があるものであるしヘリコプターの吊り下げ能力には限界があるので、ヘリポートまで移動させた段階で簡単に本体と接続を絶つことができるような連結手段を設けるか、或いは全く連結せず載置しておくだけとし、搬送しないのが好ましい。
【図面の簡単な説明】
【００１６】
【図１】本考案に係るヘリコプター用コンテナの一例を示す概略斜視図である。
【図２】本考案に係るヘリコプター用コンテナの一例の開閉扉部分を示す概略斜視図である。
【図３】本考案に係るヘリコプター用コンテナの使用例を示す概略平面図である。
【図４】本考案に係るヘリコプター用コンテナの一例を台車に載置した状態を示す概略斜視図である。
【符号の説明】
【００１７】
１    本考案に係るヘリコプター用コンテナ
２    カバー体
３    柱フレーム
３１  スリングベルト
３２  筋交いフレーム
５    開放扉
５１  突起
５２  小孔
５３  係止金具
６    小型ポンプ
７    ホース
８    ホース背負い器
９    管鎗
１０  吸水管
１１  媒介金具
【図１】
0003108205.tif 000003
【図２】
0003108205.tif 000004
【図３】
0003108205.tif 000005
【図４】
0003108205.tif 000006